(57)【要約】【課題】この発明は、装置構成を簡略化することで安価にでき、ＩＤ情報を管理する手間をも軽減できる認証装置、モード切り換えカード、入退室管理システム、および認証方法を提供することを課題とする。【解決手段】入退室管理システム１０は、オフィスＡの扉Ｇａ近くに設置されたカードリーダー２ａ、このカードリーダー２ａに接続されたコントローラー４ａ、オフィスＢの扉Ｇｂ近くに設置されたカードリーダー２ｂ、およびこのカードリーダー２ｂに接続されているとともにコントローラー４ａと接続されたコントローラー４ｂを有する。カードリーダー２ａに登録用カードが翳されると、コントローラー４ａによる処理モードが通常の認証モードから登録モードに切り換えられ、次に翳されるＩＤカードが登録される。【選択図】      図１
2008196154.tif 000002
【特許請求の範囲】
【請求項１】
ＩＤカードからＩＤ情報を読み取るカードリーダーと、
読み取ったＩＤ情報が登録済であるか否かを判定する判定部と、を有し、
上記判定部は、上記カードリーダーでＩＤ情報を読み取ろうとしたカードがモード切り換えカードであることを条件に処理モードを切り換え、上記カードリーダーで次に読み取るＩＤカードのＩＤ情報を登録或いは抹消することを特徴とする認証装置。
【請求項２】
上記判定部は、上記処理モードを切り換えて、必要な枚数のＩＤカードのＩＤ情報を登録或いは抹消した後、上記モード切り換えカードが上記カードリーダーで再び読み取られたことを条件に、処理モードを通常の認証モードに戻すことを特徴とする請求項１に記載の認証装置。
【請求項３】
上記判定部は、上記カードリーダーにおける上記モード切り換えカードの読み取り回数に応じて処理モードを登録モードまたは抹消モードに切り換えることを特徴とする請求項１に記載の認証装置。
【請求項４】
各種操作入力を受け付ける入力部をさらに有し、
上記判定部は、上記カードリーダーで上記モード切り換えカードを読み取った後、上記入力部を介して暗証番号が入力されたことを条件に、ＩＤカードの登録或いは抹消を受け付けることを特徴とする請求項１に記載の認証装置。
【請求項５】
上記判定部は、上記入力部を介して入力される暗証番号に応じて上記処理モードを登録モードまたは抹消モードに切り換えることを特徴とする請求項４に記載の認証装置。
【請求項６】
上記判定部は、上記モード切り換えカードのうち登録用カードを上記カードリーダーで読み取った場合に上記処理モードを登録モードに切り換え、上記モード切り換えカードのうち抹消用カードを上記カードリーダーで読み取った場合に上記処理モードを抹消モードに切り換えることを特徴とする請求項１に記載の認証装置。
【請求項７】
各種操作入力を受け付ける入力部をさらに有し、
上記判定部は、上記処理モードを抹消モードに切り換えた後、登録を抹消するＩＤカードのＩＤ情報が上記入力部を介して入力されたことを条件に、当該ＩＤカードの登録を抹消することを特徴とする請求項６に記載の認証装置。
【請求項８】
ＩＤカードからＩＤ情報を読み取る第１のカードリーダーと、読み取ったＩＤ情報が登録済であるか否かを判定し、この判定結果に基づいて、当該施設に対する通行を選択的に許可する第１の判定部と、を有する第１の施設と、
ＩＤカードからＩＤ情報を読み取る第２のカードリーダーと、読み取ったＩＤ情報が登録済であるか否かを判定し、この判定結果に基づいて、当該施設に対する通行を選択的に許可する、上記第１の判定部と通信可能に接続した第２の判定部と、を有する第２の施設と、を有し、
上記第１の判定部は、上記第１のカードリーダーでＩＤ情報を読み取ろうとしたカードがモード切り換えカードであることを条件に処理モードを切り換え、上記第１のカードリーダーで次に読み取るＩＤカードのＩＤ情報を登録或いは抹消し、この登録或いは抹消したＩＤ情報を共有すべく上記第２の判定部へ通知することを特徴とする入退室管理システム。
【請求項９】
上記第１の判定部は、上記処理モードを切り換えて、必要な枚数のＩＤカードのＩＤ情報を登録或いは抹消した後、上記モード切り換えカードが上記第１のカードリーダーで再び読み取られたことを条件に、処理モードを通常の認証モードに戻すことを特徴とする請求項８に記載の入退室管理システム。
【請求項１０】
請求項８に記載の入退室管理システムで使用する上記モード切り換えカードであって、
モードを切り換える施設を特定するための情報を記憶していることを特徴とするモード切り換えカード。
【請求項１１】
ＩＤカードからＩＤ情報を読み取る読取工程と、
読み取ったＩＤ情報が登録済であるか否かを判定する判定工程と、を有し、
上記判定工程では、上記読取工程でモード切り換えカードを読み取ったことを条件に処理モードを切り換え、次に読み取るＩＤカードのＩＤ情報を登録或いは抹消することを特徴とする認証方法。
【発明の詳細な説明】
【技術分野】
【０００１】
この発明は、ＩＤカードからそのＩＤ情報を読み取って、そのＩＤカードが登録されたカードであるか否かを判定する認証装置、この認証装置の処理モードを切り換えるためのモード切り換えカード、認証装置およびモード切り換えカードを含む入退室管理システム、および認証方法に関する。
【背景技術】
【０００２】
従来、認証装置として、オフィスの出入口や自宅の玄関などに設置され、ＩＤカードからそのＩＤ情報を読み取ってその人物が当該施設の入退室を許可されている登録済の人物であるか否かを判定し、この判定結果に基づいて電気錠の開錠／施錠を制御するセキュリティーシステムが知られている（例えば、特許文献１参照。）。
【０００３】
すなわち、この種のシステムでは、施設の出入口に設置したカードリーダーを介してＩＤカードを読み取って、このカードリーダーに接続されたコントローラーにおいて、当該ＩＤカードを所有する人物が当該施設に対する入退室を許可されている登録済の人物であるか否かを判定し、登録済の人物であることを判定した場合に、コントローラーが出入口のドアの電気錠を開錠して当該人物の通行を許可するようにしている。
【０００４】
よって、このシステムを利用するためには、予め、コントローラーに接続したパーソナルコンピューター（ＰＣ）やサーバーを介して、当該出入口の通行を許可する人物の情報を入力し、その人物を特定するＩＤ情報を記憶したＩＤカードを発行する必要がある。
【０００５】
このようなシステムをオフィスで利用する場合、発行した１枚のＩＤカードに対して特定の複数の出入口の通行を許可する必要があるため、ＩＤカードごとの通行可能な出入口をＰＣで管理することが有効である。しかし、ＩＤカードを発行する人数が数十人程度と比較的多い場合、そのＩＤ情報の管理や、各ＩＤカードで通行を許可する出入口のグループ管理や、通行を許可する人物の登録或いは抹消などに要する管理の手間がかかる問題があった。
【０００６】
また、自宅の玄関などにこの種のセキュリティーシステムを導入する場合、数人の利用者に対して且つ１、２箇所の出入口に対して、カードリーダーの他に電気錠を開閉制御するためのコントローラーやＩＤカードのＩＤ情報を登録するためのＰＣを必要とするため、システム構成が高価になる問題があった。
【特許文献１】特開平２−２５６７７２号公報
【発明の開示】
【発明が解決しようとする課題】
【０００７】
この発明の目的は、装置構成を簡略化することで安価にでき、ＩＤ情報を管理する手間をも軽減できる認証装置、モード切り換えカード、入退室管理システム、および認証方法を提供することにある。
【課題を解決するための手段】
【０００８】
上記目的を達成するため、本発明の認証装置は、ＩＤカードからＩＤ情報を読み取るカードリーダーと、読み取ったＩＤ情報が登録済であるか否かを判定する判定部と、を有し、上記判定部は、上記カードリーダーでＩＤ情報を読み取ろうとしたカードがモード切り換えカードであることを条件に処理モードを切り換え、上記カードリーダーで次に読み取るＩＤカードのＩＤ情報を登録或いは抹消する。
【０００９】
また、本発明の入退室管理システムは、ＩＤカードからＩＤ情報を読み取る第１のカードリーダーと、読み取ったＩＤ情報が登録済であるか否かを判定し、この判定結果に基づいて、当該施設に対する通行を選択的に許可する第１の判定部と、を有する第１の施設と、ＩＤカードからＩＤ情報を読み取る第２のカードリーダーと、読み取ったＩＤ情報が登録済であるか否かを判定し、この判定結果に基づいて、当該施設に対する通行を選択的に許可する、上記第１の判定部と通信可能に接続した第２の判定部と、を有する第２の施設と、を有し、上記第１の判定部は、上記第１のカードリーダーでＩＤ情報を読み取ろうとしたカードがモード切り換えカードであることを条件に処理モードを切り換え、上記第１のカードリーダーで次に読み取るＩＤカードのＩＤ情報を登録或いは抹消し、この登録或いは抹消したＩＤ情報を共有すべく上記第２の判定部へ通知する。
【００１０】
更に、本発明の認証方法は、ＩＤカードからＩＤ情報を読み取る読取工程と、読み取ったＩＤ情報が登録済であるか否かを判定する判定工程と、を有し、上記判定工程では、上記読取工程でモード切り換えカードを読み取ったことを条件に処理モードを切り換え、次に読み取るＩＤカードのＩＤ情報を登録或いは抹消する。
【００１１】
上記発明によると、モード切り換えカードを読み取ったことを条件に、処理モードを切り換えて、ＩＤカードのＩＤ情報を登録或いは抹消するようにしたため、ＰＣなどを介して情報を入力する必要がなく、構成を簡略化でき、安価に製造でき、ＰＣを用いてＩＤ情報の登録或いは抹消履歴を管理する手間を省くことができる。
【発明の効果】
【００１２】
この発明の認証装置、および入退室管理システムは、上記のような構成および作用を有しているので、装置構成を簡略化することで安価にでき、ＩＤ情報を管理する手間をも軽減できる。
【発明を実施するための最良の形態】
【００１３】
以下、図面を参照しながらこの発明の実施の形態について詳細に説明する。  
図１には、この発明の実施の形態に係る入退室管理システム１０（以下、単に、システム１０と称する）の概略図を示してある。このシステム１０は、例えば、登録済のＩＤカードを所有する人物に対し、オフィスＡ、Ｂへの入退室を許可し、ＩＤカードを読み取ることで、オフィスＡ、Ｂの扉Ｇに設けた電気錠（ここでは図示省略）を開錠するよう機能する。
【００１４】
一般に、この種のシステムで使用するＩＤカードには、磁気カードと無線カードとがある。  
磁気カードは、例えば、ＪＩＳＢ９５６０、および９５６１に定められているクレジットカードのように、塩化ビニルなどの樹脂で形成された基材上に磁気ストライプを形成して構成されている。この磁気カードから情報を読み取る場合、磁気ストライプに磁気ヘッドを接触させて、磁束密度の大小を検出することにより、磁気ストライプに記録されている磁気情報を読み取る。
【００１５】
一方、無線カードは、例えば、上記クレジットカードと同じ基材、もしくはさらに薄い基材中にＩＣチップとアンテナを埋設して構成されている。この無線カードから情報を読み取る場合、カードリーダーのアンテナに無線カードを翳して無線通信することにより非接触で情報を読み取る。本実施の形態では、この無線カードをＩＤカードとして用いたものとする。
【００１６】
いずれにしても、このシステム１０で使用するＩＤカードには、登録された利用者を認証するためのＩＤ情報として各利用者に割り当てられたＩＤ番号が予め書き込まれている。つまり、このシステム１０を利用する利用者は、システム１０の管理者に対し、予め、システム１０の利用登録を申請し、オフィスＡおよびオフィスＢに対する入退室の許可を受け、ＩＤ番号を記録したＩＤカードを受け取る必要がある。
【００１７】
システム１０は、例えば、オフィスＡの扉Ｇａ近くに設置したカードリーダー２ａ、このカードリーダー２ａに接続されたコントローラー４ａ、別のオフィスＢの扉Ｇｂ近くに設置したカードリーダー２ｂ、およびこのカードリーダー２ｂに接続されたコントローラー４ｂを有する。２つのコントローラー４ａ、４ｂは、各種データを送受信可能な状態で接続されている。また、コントローラー４ａ、４ｂは、それぞれ、カードリーダー２ａ、２ｂと一体化されている場合もある。
【００１８】
例えば、一方のオフィスＡに設置した認証装置について代表して説明すると、コントローラー４ａは、カードリーダー２ａを介して利用者が所持しているＩＤカードから登録済のＩＤ番号を読み取ったことを条件に、扉Ｇａの電気錠を開錠し、当該ＩＤカードを所有している人物のオフィスＡへの入退室を許可する。
【００１９】
このようにＩＤカードを認証してオフィスＡ（Ｂ）への入退室を許可するためには、各オフィスＡ、Ｂの扉Ｇａ、Ｇｂの電気錠を開錠するためのコントローラー４ａ、４ｂに、予め登録済のＩＤカードのＩＤ情報（本実施の形態ではＩＤ番号とする）を登録しておく必要がある。さらに、システム１０のコントローラー４ａ、４ｂ間では、それぞれ登録および抹消した情報を常に更新し、共有しておく必要がある。
【００２０】
以下、図２および図３を参照して、このシステム１０の動作、特にシステム１０に対する利用者の登録および抹消方法について説明する。図２には登録および抹消方法を説明するための動作説明図を示してあり、図３には動作を説明するためのフローチャートを示してある。
【００２１】
初期状態として、システム１０の各コントローラー４ａ、４ｂは、通常の認証モードに設定されており、カードリーダー２ａ、２ｂを介してＩＤカードの読み取りを待機している。ここで言う認証モードとは、上述したように、ＩＤカードに記録されているＩＤ番号を読み取って電気錠の開錠の可否を判定するモードである。この状態で、ＩＤカードがいずれかのオフィスのカードリーダー２ａ、２ｂに翳されると、当該ＩＤカードから各種情報が読み取られる（図３、ステップ１）。
【００２２】
ステップ１でＩＤカードを読み取った結果、通常のＩＤカードに割り振られたＩＤ番号を読み取ることができた場合、対応するコントローラー４ａ、或いは４ｂは、当該ＩＤカードが通常のカードであることを判断し（ステップ２；ＹＥＳ）、当該ＩＤカードを所有する人物の通行の可否を判定する（ステップ３）。
【００２３】
このとき、コントローラー４ａ（４ｂ）は、当該ＩＤカードから読み取ったＩＤ番号を予め登録されているＩＤ番号に照会し、読み取ったＩＤ番号がシステム１０に登録済であることを条件に、対応するオフィスの扉Ｇａ、またはＧｂの電気錠を開錠し、所有者の通行を許可する。しかし、ＩＤ番号を照会した結果、読み取ったＩＤ番号が未登録であることを判定した場合、コントローラー４ａ（４ｂ）は、対応する扉Ｇａ（Ｇｂ）の電気錠を開錠しないで所有者の通行を禁止する。
【００２４】
一方、ステップ１の読み取りの結果、通常のＩＤカードに割り振られたＩＤ番号を読み取ることができずに（ステップ２；ＮＯ）、当該ＩＤカードが後述する登録用カード（モード切り換えカード）であることを判定した場合（ステップ４；ＹＥＳ）、対応するコントローラー４ａ（４ｂ）は、その処理モードを認証モードから登録モードに切り換える（ステップ５）。この登録モードでは、オフィスＡ、Ｂの扉Ｇａ、Ｇｂの通行を可能にするためのＩＤカードの登録ができる。
【００２５】
また、ステップ６に示すように、当該カードが後述する図２に図示した抹消用カード（モード切り換えカード）であることを判定した場合（ステップ４；ＮＯ、ステップ６；ＹＥＳ）、対応するコントローラー４ａ（４ｂ）は、その処理モードを認証モードから抹消モードに切り換える（ステップ７）。この抹消モードでは、オフィスＡ、Ｂの扉Ｇａ、Ｇｂの通行を許可されていたＩＤカードの登録を抹消することができる。
【００２６】
すなわち、ステップ５では、図２に模式図を示すように、対応するカードリーダー２ａ（ここではオフィスＡにおける処理とする）の図示しないアンテナに登録用カードが翳されて、対応するコントローラー４ａの処理モードが登録モードに切り換えられる。このように登録モードに切り換えられた状態で、新たに登録を希望するＩＤカードがカードリーダー２ａのアンテナに翳されると、当該未登録のＩＤカードからＩＤ番号が読み取られ、そのＩＤ番号が対応するコントローラー４ａに記憶される。これで、当該ＩＤカードの登録が完了する。
【００２７】
この後、登録を希望する他のＩＤカードある場合、登録を希望する全てのＩＤカードがアンテナに順次翳されて、ＩＤ番号が順次読み取られてコントローラー４ａに登録される。そして、登録を希望する全てのＩＤカードからＩＤ番号が読み取られた後、再び登録用カードがアンテナに翳されると、コントローラー４ａの処理モードが登録モードから通常の認証モードに戻される。つまり、この後アンテナに翳されるＩＤカードに対しては、通常の認証処理、すなわち当該システム１０に登録済であるか否かの判定がなされる。
【００２８】
以上のように、数枚のＩＤカードをオフィスＡで登録した後、システム１０の他の施設（本実施の形態では、オフィスＢ）においてもこれら登録したＩＤカードが使えるように、コントローラー４ａからコントローラー４ｂに登録したＩＤカードのＩＤ番号が通知され、コントローラー４ｂにおいてもこれら登録済のＩＤカードのＩＤ番号を記憶する。このように登録した履歴を複数のコントローラー４ａ、４ｂで共有することにより、ＩＤ番号を登録した全てのＩＤカードをオフィスＡ、Ｂ両方で使用できるようになる。
【００２９】
また、ステップ７では、図２に示すように、対応するカードリーダー２ａのアンテナに抹消用カードが翳されて、対応するコントローラー４ａの処理モードが抹消モードに切り換えられる。このようにコントローラー４ａの処理モードが抹消モードに切り換えられた状態で、登録の抹消を希望するＩＤカードがカードリーダー２ａのアンテナに翳されると、当該ＩＤカードからＩＤ番号が読み取られて既にコントローラー４ａで記憶しているＩＤ番号と照会され、当該ＩＤ番号がコントローラー４ａから抹消される。これで、当該ＩＤカードの登録が抹消される。
【００３０】
この後、登録抹消を希望する他のＩＤカードがある場合、登録抹消を希望する全てのＩＤカードがアンテナに順次翳されて、ＩＤ番号が順次読み取られてコントローラー４ａからそのデータが抹消される。そして、登録抹消を希望する全てのＩＤカードをアンテナに翳した後、再び抹消用カードがアンテナに翳されると、コントローラー４ａの処理モードが抹消モードから通常の認証モードに戻される。つまり、この後アンテナに翳されるＩＤカードに対しては、通常の認証処理、すなわち当該システム１０に登録済であるか否かの判定がなされる。
【００３１】
以上のように、数枚のＩＤカードの登録をオフィスＡで抹消した後、オフィスＢにおいてもこれら登録を抹消したＩＤカードが使えないように、コントローラー４ａからコントローラー４ｂに登録を抹消したＩＤカードのＩＤ番号が通知され、コントローラー４ｂにおいてもこれら登録を抹消されたＩＤカードのＩＤ番号が消去される。このように登録を抹消した履歴を複数のコントローラー４ａ、４ｂで共有することにより、登録を抹消した全てのＩＤカードをオフィスＡ、Ｂ両方で使用できなくすることができる。
【００３２】
以上のように、本実施の形態によると、従来のシステムのようにＰＣやサーバーを用いて管理者がＩＤカードの利用登録や登録抹消の入力処理を行うことなく、扉Ｇａ、Ｇｂを動作制御するコントローラー４ａ、４ｂ、およびカードリーダー２ａ、２ｂを用いて管理者であれば誰でもＩＤカードの登録および抹消が可能となり、システム構成を簡略化でき、装置コストを低減でき、管理者によるデータ入力の手間が不要となり、利便性を向上させることができる。
【００３３】
また、本実施の形態のシステム１０の運用において、登録済のＩＤカードを利用者が紛失してしまった場合、コントローラー４ａ（４ｂ）を抹消モードに切り換えた後アンテナに翳すカードが無いため、カードリーダー２ａ（２ｂ）に設けられたテンキー６（入力部）を介して紛失したＩＤカードのＩＤコードを入力するようにした。
【００３４】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【００３５】
例えば、上述した実施の形態では、ＩＤカードとして無線カードを使用した場合について説明したが、これに限らず、磁気カードを使用したシステムに本発明を適用しても良い。また、上述した実施の形態では、読み取ったＩＤカードがシステム１０に登録されているか否かを判定して扉Ｇａ、Ｇｂの電気錠を開錠／施錠する場合について説明したが、これに限らず、判定結果に従って自動ドアを開閉制御するようにしても良い。
【００３６】
また、上述した実施の形態では、ＩＤカードの使用場所として、２つのオフィスＡ、Ｂを想定した場合について説明したが、これに限らず、３つ以上の施設にカードリーダー２およびコントローラー４をそれぞれ設置して登録および抹消データを共有するようにしても良い。或いは、自宅の玄関のように１つの扉にこのシステム１０を取り付けても良い。
【００３７】
また、上述した実施の形態では、ＩＤカードをシステム１０に登録するための登録用カードと登録を抹消するための抹消用カードを別々に用意した場合について説明したが、これに限らず、管理者の管理の元でデータの登録および抹消ができる共通のモード切り換えカードを用意し、このモード切り換えカードをカードリーダー２ａ（２ｂ）のアンテナに翳す回数に応じて切り換えるモードを決めるようにしても良い。
【００３８】
例えば、モード切り換えカードをアンテナに１回翳した場合にはコントローラー４ａ（４ｂ）の処理モードを認証モードから登録モードに切り換え、モード切り換えカードをアンテナに２回連続して翳した場合にはコントローラー４ａ（４ｂ）の処理モードを認証モードから抹消モードに切り換えるようにしても良い。この場合、各モードを終了して通常の認証モードに戻す際には、モード切り換えカードを再びアンテナに翳せば良い。
【００３９】
また、上述した実施の形態では、登録用カードをアンテナに翳したことを条件にコントローラー４ａ（４ｂ）の処理モードを登録モードに切り換え、抹消用カードをアンテナに翳したことを条件に処理モードを抹消モードに切り換えるようにしたが、よりセキュリティー性を高めるため、各モード切り換えカードをアンテナに翳した後に管理者が管理する暗証番号の入力を義務付けても良い。この場合、モード切り換えカードをアンテナに翳した後、テンキー６を介して管理者が暗証番号を入力することでモードの切り換えが可能となる。また、このとき、上述した共通のモード切り換えカードを使用して入力する暗証番号をモード別に用意しても良い。
【００４０】
また、登録用カードの運用においては、上述した実施の形態に限らずいろいろな使い方が考えられる。  
例えば、上述した実施の形態で説明した登録用カードは、オフィスＡ、Ｂ両方に対する入退室を許可することのできるものであったが、入退室を許可する施設のグループごとに異なる登録用カードを用意しても良い。この場合、例えば、Ａ、Ｂ、Ｃ、Ｄ４つの施設があって、登録用カードＣ１を用いて登録したＩＤカードに対しては、Ａ、Ｂ、Ｃ３つの施設に対する入退室を許可し、登録用カードＣ２を用いて登録したＩＤカードに対しては、Ａ、Ｃ２つの施設に対する入退室だけを許可し、登録用カードＣ３を用いて登録したＩＤカードに対しては、Ａ、Ｂ、Ｃ、Ｄ全ての施設に対する入退室を許可するような運用が考えられえる。
【００４１】
なお、このようなカードの運用を実施する場合、各登録用カードには、予め利用登録が可能な施設に関する情報を記憶させておく必要がある。また、上記のような運用をする場合、登録を受け付けるカードリーダー２は施設Ａ、Ｂ、Ｃ、Ｄのうちどの施設のカードリーダー２であっても良いが、登録用カードＣ１、Ｃ２、Ｃ３ごとに異なるグループの各施設に対し、登録済のＩＤ番号を共有化すべく通知する必要がある。
【００４２】
また、上述したように複数種類の登録用カードＣ１、Ｃ２、Ｃ３を用意する代りに、登録用カードをカードリーダー２のアンテナに翳す回数に応じて入退室を許可する施設のグループを決めるようにしても良い。
【００４３】
この場合、例えば、上述した４つの施設にセキュリティー上の優先順位を着けて（ここでは施設Ａが最も順位が高く、施設Ｂ、施設Ｃ、施設Ｄの順に順位が下がるものとする）、登録用カードを１回翳した後に登録を受け付けたＩＤカードに対しては施設Ｄだけの入退室を許可し、登録用カードを続けて２回翳した後に登録を受け付けたＩＤカードに対しては施設Ｄ、Ｃへの入退室を許可し、登録用カードを３回連続して翳した後に登録を受け付けたＩＤカードに対しては３つの施設Ｄ、Ｃ、Ｂに対する入退室を許可し、登録用カードを４回連続して翳した後に同じアンテナに翳したＩＤカードに対しては４つ全ての施設Ａ、Ｂ、Ｃ、Ｄに対する入退室を許可するといった運用が考えられる。
【００４４】
また、上述した実施の形態のように登録用カードをカードリーダー２のアンテナに翳してコントローラー４の処理モードが登録モードに切り換えられた後、当該カードリーダー２のテンキー６を介して暗証番号を入力するとともに、これから利用登録をするＩＤカードを用いて入退室を可能とする施設を選択するようにしても良い。この場合、暗証番号を管理している管理者がテンキー６を介して施設の番号などを入力する方法が考えられる。
【００４５】
また、上述した抹消用カードの運用においても、上述した実施の形態に限らずいろいろな使い方が考えられる。  
例えば、上述した実施の形態では、抹消用カードをカードリーダー２ａ（２ｂ）のアンテナに翳した後にアンテナに翳されたＩＤカードの登録を抹消するようにしたが、ＩＤカードをアンテナに翳す前に暗証番号の入力を義務付けても良い。
【００４６】
また、暗証番号を入力した後に、登録を抹消したいＩＤカードのＩＤ番号をテンキー６を介して入力することで当該ＩＤカードの登録を抹消するようにしても良い。この場合、利用者がＩＤカードを紛失してカードが存在しない場合であっても、紛失したＩＤカードの登録を抹消することができ、当該カードを拾った人が不正使用することを防止できる。
【図面の簡単な説明】
【００４７】
【図１】この発明の実施の形態に係る入退室管理システムの概略図。
【図２】図１のシステムにおいてＩＤカードを登録および抹消する動作を説明するための動作説明図。
【図３】図２とともに登録および抹消動作を説明するためのフローチャート。
【符号の説明】
【００４８】
２ａ、２ｂ…カードリーダー、４ａ、４ｂ…コントローラー、６…テンキー、１０…入退室管理システム、Ａ、Ｂ…オフィス、Ｇａ、Ｇｂ…扉。
【図１】
2008196154.tif 000003
【図２】
2008196154.tif 000004
【図３】
2008196154.tif 000005